(57)【要約】【課題】液状のインクジェット記録画像保護油剤のハンドリング性改善。【解決手段】油剤を多孔質部材に含浸させた構成として、固体として扱える様にしたインクジェット記録画像保護油剤の保持体、およびパッケージ形体。【選択図】　　　　図２
2004142312.tif 000002
【特許請求の範囲】
【請求項１】
インクジェット記録画像を保護する油剤を含浸してなる事を特徴とするインクジェット記録画像保護油剤の保持体。
【請求項２】
油剤が飽和脂肪酸エステル誘導体、変性シリコーン誘導体の少なくとも一方を主成分とする事を特徴とする請求項１に記載のインクジェット記録画像保護油剤の保持体。
【請求項３】
支持体と、支持体上に設けたインクジェット記録画像を保護する油剤を含浸した多孔質層とからなる積層保持体である事を特徴とするインクジェット記録画像保護油剤の保持体。
【請求項４】
支持体と、支持体上に設けたインクジェット記録画像を保護する油剤を含浸した多孔質層と、多孔質層の外周で油剤を密封すべく支持体と貼合されたふた部材とからなる事を特徴とするパッケージ形体。
【請求項５】
油剤の含浸量が１０ｇ／ｍ２〜３５ｇ／ｍ２である事を特徴とする請求項１乃至４に記載のインクジェット記録画像保護油剤の保持体。
【発明の詳細な説明】
【０００１】
【発明の属する技術分野】
本発明はインクジェット記録画像保護油剤の保持体、およびパッケージ形体に関し、特には紙などに記録されたインクジェット記録画像の耐光、耐ガス性を向上する油剤の保持形態に関する。
【０００２】
【従来の技術】
インクジェット記録画像の保護材としては、従来さまざまなラミネートによる処理が知られている（例えば、特許文献１〜３参照）。
【０００３】
【特許文献１】
特公平６−５３４３６号公報
【特許文献２】
特公平７−２０７５９号公報
【特許文献３】
特開２００１−１２１６０９号公報
【０００４】
【発明が解決しようとする課題】
しかし、ラミネートによる画像保護は簡便な反面、保護シートが記録画像の表面を覆うだけなので、耐ガスなどの面で充分な保護機能は発揮できなかった。一方、液状の保護材は記録画像の奥まで保護材が浸透するので保護機能は十分発揮されるものの、液体を直接記録画像に塗布する為、折角デジタルに処理したにも拘わらず、最後に超レトロな刷毛に類する塗布器具を用いて液体塗布と言った職人技を行なわなければ成らず、時代に逆行する嫌いがあった。また、液体塗布は、手先の器用さや訓練の程度により塗布量や塗り斑の程度にばらつきがあり、仕上がりも区々となっていた。
【０００５】
【課題を解決するための手段】
上記課題を解決するために、本発明に於いて我々は、インクジェット記録画像を保護する液状の油剤を多孔質シート状の保持部材に含浸させる事により、持ち運びする際にビンなどの液体容器を用いることなく、また塗布に際しても改めて塗布器具を準備したり習熟することなく、綺麗に油剤を塗布する事ができる形体を発明した。
【０００６】
すなわち、インクジェット記録画像を保護する油剤を含浸してなる保持体、並びに、支持体とインクジェット記録画像を保護する油剤を含浸した多孔質層とからなる積層保持体である。さらに、多孔質層の外周で油剤を密封すべく支持体と貼合されたふた部材とからなるパッケージ形体である。
【０００７】
油剤は、飽和脂肪酸エステル誘導体、変性シリコーン誘導体の少なくとも一方を主成分とする物である。
【０００８】
また、多孔質部材の油剤含浸量は１０ｇ／ｍ２〜３５ｇ／ｍ２である。
【０００９】
上記構成を改めて以下（１）〜（５）に整理して示す。
【００１０】
（１）インクジェット記録画像を保護する油剤を含浸してなるようにしたインクジェット記録画像保護油剤の保持体。
【００１１】
（２）油剤が飽和脂肪酸エステル誘導体、変性シリコーン誘導体の少なくとも一方を主成分とするようにした上記（１）に記載のインクジェット記録画像保護油剤の保持体。
【００１２】
（３）支持体と、支持体上に設けたインクジェット記録画像を保護する油剤を含浸した多孔質層とからなる積層保持体であるようにしたインクジェット記録画像保護油剤の保持体。
【００１３】
（４）支持体と、支持体上に設けたインクジェット記録画像を保護する油剤を含浸した多孔質層と、多孔質層の外周で油剤を密封すべく支持体と貼合されたふた部材とからなるパッケージ形体。
【００１４】
（５）油剤の含浸量が１０ｇ／ｍ２〜３５ｇ／ｍ２であるようにした上記（１）乃至（４）に記載のインクジェット記録画像保護油剤の保持体。
【００１５】
【発明の実施の形態】
以下実施例により本発明を詳細に説明する。尚、図１は支持体上に形成された本発明の積層保持体のパッケージ形体を示す図であり、又、図２は支持体上に形成された本発明の積層保持体のＤ−Ｄ’断面図である。図において１は溶着部分を、２はインクジェット記録画像を保護する油剤を含浸した多孔質層を、３は支持体を、４はふた部材をそれぞれ示すものである。
【００１６】
【実施例】
▲１▼インクジェット記録画像を保護する油剤の調整
下記処方（Ａ）乃至（Ｂ）に従い各成分を混合して油剤を調整した。
（Ａ）の処方
ネオペンチルポリオールの飽和脂肪酸エステル４５０部、ヒンダードアミン型酸化防止剤５部、ベンゾトリアゾール型紫外線吸収剤５部
（Ｂ）の処方
アルキル変性シリコーンオイル４５０部、ヒンダードフェノール型酸化防止剤２．５部、チオエーテル型酸化防止剤２．５部、ヒドロキシベンゾフェノン型紫外線吸収剤５部
【００１７】
▲２▼保持部材の作成
支持体３として２２×３２ｃｍ、厚さ１００μｍのＰＥＴ（ポリエステルフィルム）を用い、この支持体３上に２０×３０ｃｍの不織布（商品名「リード・キッチンタオル」）を多孔質層を両面テープで貼合して積層保持部材とした。
【００１８】
▲３▼油剤の保持体への含浸
底面が２５×３５ｃｍのバットに、▲１▼で調合した処方（Ａ）乃至（Ｂ）の油剤を各々２ｇ入れ、▲２▼で作成した積層保持部材を乗せ１５分間放置して油剤を含浸させて、処方（Ａ）と（Ｂ）各々の油剤に対応した本発明の積層保持体ａとｂを得た。
【００１９】
▲４▼さらに、▲３▼で得られた積層保持体に、ふた部材４として厚さ３０μｍのポリプロピレンフィルムを重ね、四辺を超音波で熱溶着して本発明のパッケージング形体を得た。
【００２０】
次いで、キヤノン（株）製のインクジェットプリンタＢＪＦ８７０とキヤノン（株）製のインクジェット光沢紙ＰＲ−１０１を用いて、デジタルカメラで撮影した画像をプリントして、インクジェット記録画像を得た。
【００２１】
この画像に、本発明の保持体を含浸面と画像面が対峙するように重ね、手で押圧して油剤を記録画像へ塗布・浸透させた。その後、保持体を剥離して、インクジェット記録画像を保護する油剤が塗布された画像を得た。
【００２２】
【発明の効果】
本発明の保持体およびパッケージング形体を用いた方法によれば、インクジェット記録画像を保護する油剤を持ち運びする時や塗布する時に油剤を直接扱う事がないため、手を汚す事やこぼす心配もない。また保持体が予め均一に油剤を含浸、保持しているので、取り立てた練習をせずとも均一に油剤を記録画像に塗布できた。
【００２３】
また、ラミネートなどとは異なり、光沢などのインクジェット記録媒体の風合いを損なうことなく、綺麗な画像保護が行なえる。同時に、液状保護材特有の記録媒体中に存在する空隙を埋める機能により、画像濃度のＯＤアップも達成できた。
【図面の簡単な説明】
【図１】支持体上に形成された本発明の積層保持体のパッケージ形体
【図２】支持体上に形成された本発明の積層保持体のＤ−Ｄ’断面図
【符号の説明】
１　溶着部分
２　インクジェット記録画像を保護する油剤を含浸した多孔質層
３　支持体
４　ふた部材
【図１】
2004142312.tif 000003
【図２】
2004142312.tif 000004